【事件の表示】
　特願２００８−５４５５６４「ディジタル的に捕捉された画像から再生可能ディジタル映像プロダクトを与える方法、装置及びシステム」拒絶査定不服審判事件〔平成１９年　６月２１日国際公開、ＷＯ２００７／０７００８９、平成２１年　５月２１日国内公表、特表２００９−５２０３９５〕について、次のとおり審決する。
【結　論】
　本件審判の請求は、成り立たない。
【理　由】
第１．手続の経緯
　
　本願は、２００６年（平成１８年）５月２５日（パリ条約による優先権主張外国庁受理２００５年１２月１６日　米国）を国際出願日とする出願であって、平成２３年９月３０日付けで拒絶理由の通知がなされ、これに対し、平成２４年４月４日付けで手続補正がなされたが、平成２４年１１月３０日付けで拒絶査定がなされたものである。
　本件は、上記拒絶査定を不服として、平成２５年４月４日に請求された拒絶査定不服審判であって、その審判請求と同時に手続補正書が提出されたものである。
　
第２．補正却下の決定
　
　平成２５年４月４日付けの手続補正について次のとおり決定する。
　
［補正却下の決定の結論］
　
　平成２５年４月４日付けの手続補正を却下する。
　
［補正却下の決定の理由］
　
１．補正の内容
　
　平成２５年４月４日付けの手続補正は、請求項１についてする以下の補正を含むものである。
　
［補正前］（平成２４年４月４日付けで補正された【請求項１】）
　
「処理器とメモリとを有するカラー装置における、ディジタル画像捕捉装置により捕捉されるディジタルビデオコンテンツの再生可能ディジタル映像プロダクトを与える方法であって、
　前記処理器とメモリとが、前記ディジタルビデオコンテンツと、捕捉される最大範囲のディジタルビデオコンテンツと、前記ディジタル画像捕捉装置と、ディジタルビデオコンテンツを捕捉するように用いられる最大範囲のディジタル画像捕捉装置とのうち少なくとも１つのダイナミックレンジに関する情報を用いて、ログビデオ信号の階調密度値のフルレンジをマッピングすることにより、前記ディジタルビデオコンテンツのログビデオ信号表現を生成する段階を有する方法。」
　
［補正後］（平成２５年４月４日付けで補正された【請求項１】）
　
「処理器とメモリとを有するカラー装置における、ディジタル画像捕捉装置により捕捉されるディジタルビデオコンテンツの再生可能ディジタル映像プロダクトを与える方法であって、
　前記処理器とメモリとが、前記ディジタル画像捕捉装置と、ディジタルビデオコンテンツを捕捉するように用いられる最大範囲のディジタル画像捕捉装置とのうち少なくとも１つのダイナミックレンジに関する情報を用いて、ログビデオ信号の階調密度値のフルレンジをマッピングすることにより、前記ディジタルビデオコンテンツのログビデオ信号表現を生成する段階を有する方法。」
　
２．補正の適法性
　
　この請求項１についてする補正は、「前記ディジタルビデオコンテンツと、捕捉される最大範囲のディジタルビデオコンテンツと、前記ディジタル画像捕捉装置と、ディジタルビデオコンテンツを捕捉するように用いられる最大範囲のディジタル画像捕捉装置とのうち少なくとも１つのダイナミックレンジに関する情報」において、択一的記載の要素の一部である「前記ディジタルビデオコンテンツと、捕捉される最大範囲のディジタルビデオコンテンツと、」を削除し、「前記ディジタル画像捕捉装置と、ディジタルビデオコンテンツを捕捉するように用いられる最大範囲のディジタル画像捕捉装置とのうち少なくとも１つのダイナミックレンジに関する情報」と補正するものであって、特許請求の範囲の減縮を目的とする補正であると認められる。
　
　したがって、本件補正は、平成１８年法律第５５号改正附則第３条第１項によりなお従前の例によるとされる同法による改正前の特許法第１７条の２第４項第２号に規定された特許請求の範囲の減縮を目的とするものに該当する。
　
　そこで、補正後の請求項１に係る発明（以下、「本願補正発明」という）が、特許出願の際独立して特許を受けることができるものであるか否か（平成１８年改正前特許法第１７条の２第５項において準用する同法第１２６条第５項の規定に違反するか否か）について以下に検討する。
　
（１）本願補正発明
　
　本願補正発明は、以下のとおりである。
　
「処理器とメモリとを有するカラー装置における、ディジタル画像捕捉装置により捕捉されるディジタルビデオコンテンツの再生可能ディジタル映像プロダクトを与える方法であって、
　前記処理器とメモリとが、前記ディジタル画像捕捉装置と、ディジタルビデオコンテンツを捕捉するように用いられる最大範囲のディジタル画像捕捉装置とのうち少なくとも１つのダイナミックレンジに関する情報を用いて、ログビデオ信号の階調密度値のフルレンジをマッピングすることにより、前記ディジタルビデオコンテンツのログビデオ信号表現を生成する段階を有する方法。」
　
（２）刊行物の記載事項
　
　原査定の拒絶の理由に引用された特開平６−２１７１９３号公報（以下、「刊行物１」という）には、図面とともに以下の記載がある。
　
「【要約】
　【目的】　第１のメディアから第２のメディアに電気的に対象画像を移す。
　【構成】　第１のメディア（映画フィルム）から第２のメディア（高品位ビデオ）に電気的に対象画像を移すことが階調スケールトラッキングを通じて行われる。ＨＤフィルムスキャナ１２で、映画フィルムから対象画像を表す３つの単チャンネルＲｉｎ、Ｇｉｎ、Ｂｉｎが作成される。画像信号処理処理システム１６が、オリジナルの対象画像からの色の劣化をフィルムとビデオ特性の補正によって各チャンネルに対する色補正を行なうとともに、色補正後のチャンネルのフォーマット等の変換を行う。変換後の出力単チャンネルＲｏｕｔ、Ｇｏｕｔ、Ｂｏｕｔが画像再構成システム１８に供給されることで、ディスプレイ上に高品位ビデオ映像が表示される。」
「【０００５】フィルムをビデオに変換する際、フィルムに光が照射されて光学像が生成される。この光学像が撮像デバイス上に投射されることで、高品位テレビジョン（ＨＤＴＶ）ビデオ信号が作成される。撮像デバイスの走査処理で作成されたＨＤＴＶビデオ信号は、フィルム走査のセットアップに関連する多数のファクタに依存している。」
「【００２４】図１において、１０は、この発明の一実施例が組み込まれたデジタル画像処理システムを示している。１つの対象画像（サブジェクトイメージであって、被写体の画像、メディア（媒体）中の対象とする画像、又はメディア中の背景画像を含む全画像を意味する）又は複数の対象画像が第１のメディア上に記録されている。この実施例で第１のメディアは映画フィルムである。その対象画像が第１のメディアから第２のメディアに電気的に変換される。この実施例で第２のメディアは高品位（ＨＤ）ビデオである。
　【００２５】なお、この実施例では、対象画像を映画フィルムからＨＤビデオに電気的に変換する過程を説明しているが、これに限らず、この発明は、任意の第１のメディアに記録されている対象画像を任意の第２のメディアに電気的変換により変換する全てのものに適用可能である。
　【００２６】この実施例において、対象画像を映画フィルムからＨＤビデオに電気的に変換するために、そのフィルムが画像読取手段としての高品位（ＨＤ）フィルムスキャナ１２上に配される。
　【００２７】ＨＤフィルムスキャナ１２は、カラーフィルタ付き円板と組にされた光源を有し、その光源はＨＤフィルムスキャナ１２上に配されたフィルムに対して上記色フィルタ付き円板を通して光を投射する。
　【００２８】この場合、そのカラーフィルタ付き円板が回転されることで、フィルタされた光源からの光が映画フィルム上に照射され、これによって、対象画像に対応する多色の、すなわち、カラー光学フィルム画像が作成（生成）される。
　【００２９】この後、このカラー光学画像はレンズ組立体を通じて平行光にされて撮像手段としての電荷結合デバイス（ＣＣＤ）イメージセンサアレイ（以下、必要に応じて、単に、ＣＣＤイメージセンサという。）上に照射される。ＣＣＤイメージセンサとしては、例えば、高品位（ＨＤ）ＣＣＤイメージセンサが用いられ、このＨＤＣＣＤイメージセンサは、1920×1035個の光感度素子アレイを有する。このＨＤＣＣＤイメージセンサは、対象画像を、その構成要素である複数の単チャンネル光学フィルム画像に分離する。この実施例において、対象画像は、３原色の赤色（Ｒ）画像、緑色（Ｇ）画像及び青色（Ｂ）画像に分離される。なお、Ｒ，Ｇ，Ｂの色トリオに代替して、シアン、マゼンタ、黄色の色トリオのように、他の補色の組み合わせを用いても実質的に同様の効果が得られる。また、輝度・色信号のトリオ、すなわち、輝度信号Ｙ、赤色信号Ｐｒ及び青色信号Ｐｂを用いることもできる。
　【００３０】ＨＤＣＣＤイメージセンサとその関連回路により、３つの単チャンネル光学フィルム画像からアナログの高品位ビデオ信号が作成される。アナログの高品位ビデオ信号はアナログ・デジタル（Ａ／Ｄ）変換器に供給される。このＡ／Ｄ変換器は、ＣＣＤイメージセンサによって作成された上記３つのアナログの高品位ビデオ信号から対象画像についての複数のサンプルとしてのデジタル信号を作成する。Ａ／Ｄ変換器は、アナログ信号をデジタル信号に変換する装置として周知の技術であるので、これ以上の説明を省略する。」
「【００３２】高品位フィルムスキャナ１２は、３つのデジタル単チャンネル赤（Ｒｉｎ）、緑（Ｇｉｎ）、青（Ｂｉｎ）信号を画像信号処理サブシステム１６に対して出力する。画像信号処理サブシステム１６は、高品位フィルムスキャナ１２からの出力に対して所定の処理を施して画像再構成サブシステム１８に出力する。すなわち、画像信号処理サブシステム１６は、３つのデジタル単チャンネル信号Ｒｉｎ、Ｇｉｎ、Ｂｉｎに対して信号調整と信号補正処理を含む変換を行う。この画像信号処理サブシステム１６については、図２Ａ及び図２Ｂを参照して後に詳しく説明する。
　【００３３】画像再構成サブシステム１８は、画像信号処理サブシステム１６の出力を入力として得、その画像を表示する。この画像再構成サブシステム１８は、画像再構成という広い概念であり、ラスタースキャンのディスプレイ、ＨＤＴＶモニタ等を含むが、周知の技術であるので、これ以上の説明は省略する。
　【００３４】画像信号処理サブシステム１６は、操作（オペレータ）インタフェースサブシステム２０を通じてオペレータ（操作者）と相互作用を行う。オペーレータは、操作インタフェースサブシステム２０を通じて種々のコマンドと入力パラメータを画像信号処理サブシステム１６に供給する。この操作インタフェースサブシステム２０の詳細については、図３と図４を参照して後に詳しく説明する。
　【００３５】図２Ａは、画像処理システム１０を構成する画像信号処理サブシステム１６の構成を示している。入力処理サブシステム２０は、ＨＤフィルムスキャナ１２を構成するＡ／Ｄ変換器からの３つのデジタル単チャンネルＲｉｎ、Ｇｉｎ、Ｂｉｎを受ける。この入力処理サブシステム２０は、上記単チャンネルデジタル信号Ｒｉｎ、Ｇｉｎ、Ｂｉｎに対して初期補正を行い、初期補正後のデジタル信号を色補正器２２に供給する。この初期色補正の内容は、例えば、特定のノイズを除去又は減少させるためのノイズ減少処理である。この入力処理サブシステム２０も、その機能と構成が、アナログ信号をデジタル信号に変換する際の周知の技術であり、これ以上詳しく説明しない。
　【００３６】色補正器２２は、入力として入力処理サブシステム２０のデジタル出力を受け取り、それを所定処理して画像再構成サブシステム１８に出力する。色補正器２２は色補正の機能を実行する。」
「【００４０】色補正器２２は、信号調整と補正を含む種々の変換を遂行する。特に、色補正器２２は、フィルム補正ユニット２６とビデオ補正ユニット２８とを有する。フィルム補正ユニット２６は、フィルム対数ルックアップテーブル（ＬＵＴ）を用いて、３つの単チャンネル信号Ｒｉｎ、Ｇｉｎ、Ｂｉｎをそれぞれの対数等価信号に変換する。また、フィルム補正ユニット２６は、オリジナルのフィルム群の多色乳剤間のクロストークの各単チャンネルに対する補正を行うために、フィルムマスキングマトリクスを行う。さらに、フィルム補正ユニット２６は、ハーター・ドリフィールド（ＨＤ）特性曲線に従って各チャンネルに対する特性曲線処理を行う。ＨＤ特性曲線は、相対フィルム露出の対数とフィルム染料密度との間の関係を示しており、以下に詳細に説明する。
　【００４１】第１のメディアに記録されている対象画像を第２のメディアに効果的に有効に再生するために、その変換システムは、第１のメディアの階調レベル（tone level) を第２のメディアの適正な階調レベルに相関させるというような校正がなされていなければならない。この方法によれば、第１のメディアに記録されている階調スケールが第２のメディアに再生された階調スケールに相関する。
　【００４２】映画フィルムをＨＤビデオに変換するために、色補正器２２は、そのフィルム上の階調密度がＨＤビデオ信号上の階調密度に相関するように校正する。さらに、映画フィルム上に記録されたオリジナルの階調スケールを正確に再生するために、付加的なセットアップと校正処理とが必要にされる。
　【００４３】すなわち、まず、ＨＤフィルムスキャナ１２内の各ＣＣＤイメージセンサに入射される画像情報を有する光（以下、単に、画像光という。）は、ＣＣＤイメージセンサのダイナミックレンジの範囲内でなければならない。また、ＣＣＤイメージセンサに入射される画像光は、ＣＣＤイメージセンサ（イメージャ）のダイナミックレンジの全範囲を利用している必要がある。そして、入射画像光をＣＣＤレンジに一致させることで、所望の光学画像が作成される。さらに、３つの単チャンネル信号に対する光強度がバランスしていて、かつ対象画像の焦点が合っている必要がある。さらにまた、フレアと影の影響が最小化されていなければならない。
　【００４４】図３は、本発明に係わる画像校正インタフェースを示している。入力レンジコントロール３６は、操作インタフェースサブシステム２０に含まれている。入力レンジコントロール３６は、色補正器２２に入力される３つの単チャンネルＲｉｎ、Ｇｉｎ、Ｂｉｎに対しての相対階調密度を指定する。図３に示すように、各単チャンネルＲｉｎ、Ｇｉｎ、Ｂｉｎに対して、入力白レンジ及び入力黒レンジコントロール（用）スライダが設けられている。
　【００４５】ＨＤフィルムスキャナ１２で作成された各単チャンネルに対して、ユーザは、対象画像の白レベルを表す（指定する）入力白コントロールスライダの使用を通じて第１の信号振幅を色補正器２２に指定する。また、ユーザは、対象画像の黒レベルを表す（指定する）入力黒コントロールスライダの使用を通じて第２の信号振幅を指定する。
　【００４６】入力レンジコントロール３６で各単チャンネル信号に対するスケールがミリボルト（mV）で与えられている。この場合、入力バッファ用の波形モニタに３つの単チャンネル信号Ｒｉｎ、Ｇｉｎ、Ｂｉｎを供給しておいて、その管面上で、ユーザが白と黒密度レベルに対するＨＤフィルムスキャナ１２からの電圧レベル出力を校正することができる。例えば、ユーザは、ビデオモニタ上で階調を観測することによりＧ（緑）チャンネルに対する白レベルの入力レンジを指定するために、Ｇチャンネルに対する白密度レベルとして指定することを望む階調を選択する。その際、白密度レベルに対応する電圧レベルを確認するために、ユーザは、入力バッファ波形モニタ上での電圧レベルを読み取ればよい。同様にして、ユーザは、Ｇチャンネルに対する黒密度レベルに対応する階調を選択することができる。
　【００４７】この方法において、画像の校正は、そのレンジがＣＣＤの出力レンジ内にある限り、入力白スライダと入力黒スライダの両方を設定することによって、各単チャンネルに対してユーザが任意の階調レンジを指定することができるという相対的な処理である。
　【００４８】もし、入力レンジが入力レンジコントロール３６を用いて指定されなかった場合には、色補正器２２は、ＣＣＤレンジの両端に対するデフォルトレンジを設定する。デフォルトレンジとしては、例えば、各ＣＣＤイメージセンサの出力レンジ0 〜700mV に設定する。
　【００４９】図２Ｂは、本発明に係わる色補正器２２のブロック図を示している。単チャンネルＲｉｎ、Ｇｉｎ、Ｂｉｎがフィルムマスキングマトリクス処理サブシステム３２に供給される。フィルムマスキングマトリクス処理サブシステム３２は、各単チャンネル用の３つの対数変換器を有している。これら３つの対数変換器は、それぞれ、フィルム対数ルックアップテーブル（ＬＵＴ）を用いて単チャンネルＲｉｎ、Ｇｉｎ、Ｂｉｎを対数等価値に変換する。このフィルム対数ルックアップテーブルは、単チャンネル信号Ｒｉｎ、Ｇｉｎ、ＢｉｎをそのＬＵＴに対するインデックスとすることで、対数領域における値を準備する。」
「【００７６】上述したように、対象画像入力レンジは、色補正器２２とともにＨＤフィルムスキャナ１２の初期校正で入力レンジコントロール３６によって指定される。指定された対象画像入力レンジは、色補正器２２を通じてトラック（追跡）される。とりわけ、対象画像入力レンジは、フィルム対数ＬＵＴ値の作成を経由して対数領域に入力単チャンネル信号Ｒｉｎ、Ｇｉｎ、Ｂｉｎをマップするために用いられる。対数領域の中の入力単チャンネル信号Ｒｉｎ、Ｇｉｎ、Ｂｉｎへの対象画像入力レンジのトラッキングは、各単チャンネルの対象画像白と黒レベルが各ＨＤフィルム特性曲線上の適当な部分に配されるということを保証する。」
　
　ここで、上記記載について検討する。
　
　【構成】の「・・・ＨＤフィルムスキャナ１２で、映画フィルムから対象画像を表す３つの単チャンネルＲｉｎ、Ｇｉｎ、Ｂｉｎが作成される。・・・出力単チャンネルＲｏｕｔ、Ｇｏｕｔ、Ｂｏｕｔが画像再構成システム１８に供給されることで、ディスプレイ上に高品位ビデオ映像が表示される。」、段落【００２６】〜【００３０】の「映画フィルムからＨＤビデオに電気的に変換するために、そのフィルムが画像読取手段としての高品位（ＨＤ）フィルムスキャナ１２上に配される。ＨＤフィルムスキャナ１２は、・・・光源を有し、・・・光を投射する。・・・光源からの光が映画フィルム上に照射され、・・・カラー光学フィルム画像が作成（生成）される。・・・このカラー光学画像は・・・電荷結合デバイス（ＣＣＤ）イメージセンサアレイ（以下、必要に応じて、単に、ＣＣＤイメージセンサという。）上に照射される。ＣＣＤイメージセンサとしては、例えば、高品位（ＨＤ）ＣＣＤイメージセンサが用いられ、・・・ＨＤＣＣＤイメージセンサとその関連回路により、・・・アナログの高品位ビデオ信号が作成される。アナログの高品位ビデオ信号はアナログ・デジタル（Ａ／Ｄ）変換器に供給される。このＡ／Ｄ変換器は、ＣＣＤイメージセンサによって作成された上記３つのアナログの高品位ビデオ信号から対象画像についての複数のサンプルとしてのデジタル信号を作成する。」、段落【００３２】〜【００３３】の「高品位フィルムスキャナ１２は、３つのデジタル単チャンネル赤（Ｒｉｎ）、緑（Ｇｉｎ）、青（Ｂｉｎ）信号を画像信号処理サブシステム１６に対して出力する。画像信号処理サブシステム１６は、高品位フィルムスキャナ１２からの出力に対して所定の処理を施して画像再構成サブシステム１８に出力する。すなわち、画像信号処理サブシステム１６は、３つのデジタル単チャンネル信号Ｒｉｎ、Ｇｉｎ、Ｂｉｎに対して信号調整と信号補正処理を含む変換を行う。・・・画像再構成サブシステム１８は、画像信号処理サブシステム１６の出力を入力として得、その画像を表示する。この画像再構成サブシステム１８は、画像再構成という広い概念であり、ラスタースキャンのディスプレイ、ＨＤＴＶモニタ等を含む」、段落【００３５】〜【００３６】の「図２Ａは、画像処理システム１０を構成する画像信号処理サブシステム１６の構成を示している。入力処理サブシステム２０は、ＨＤフィルムスキャナ１２を構成するＡ／Ｄ変換器からの３つのデジタル単チャンネルＲｉｎ、Ｇｉｎ、Ｂｉｎを受ける。この入力処理サブシステム２０は、上記単チャンネルデジタル信号Ｒｉｎ、Ｇｉｎ、Ｂｉｎに対して初期補正を行い、初期補正後のデジタル信号を色補正器２２に供給する。この初期色補正の内容は、例えば、特定のノイズを除去又は減少させるためのノイズ減少処理である。・・・色補正器２２は、入力として入力処理サブシステム２０のデジタル出力を受け取り、それを所定処理して画像再構成サブシステム１８に出力する。色補正器２２は色補正の機能を実行する。」、段落【００４９】の「図２Ｂは、本発明に係わる色補正器２２のブロック図を示している。単チャンネルＲｉｎ、Ｇｉｎ、Ｂｉｎがフィルムマスキングマトリクス処理サブシステム３２に供給される。フィルムマスキングマトリクス処理サブシステム３２は、各単チャンネル用の３つの対数変換器を有している。これら３つの対数変換器は、それぞれ、フィルム対数ルックアップテーブル（ＬＵＴ）を用いて単チャンネルＲｉｎ、Ｇｉｎ、Ｂｉｎを対数等価値に変換する。」、図面【図２】の記載から、刊行物１には、画像読取手段であるＨＤフィルムスキャナ１２により、３つのデジタル単チャンネル赤（Ｒｉｎ）、緑（Ｇｉｎ）、青（Ｂｉｎ）信号を作成し、画像信号処理サブシステム１６に対して出力し、画像信号処理サブシステム１６内の色補正の機能を実行する色補正器２２内のフィルムマスキングマトリクス処理サブシステム３２は、フィルム対数ルックアップテーブル（ＬＵＴ）を用いて単チャンネルＲｉｎ、Ｇｉｎ、Ｂｉｎを対数等価値に変換し、画像再構成サブシステム１８は、色補正器２２の出力を入力として得、高品位ビデオ映像を表示する技術が記載されている。
　すなわち、刊行物１の画像信号処理サブシステム１６内の色補正の機能を実行する色補正器２２において、画像読取手段であるＨＤフィルムスキャナ１２により作成された３つのデジタル単チャンネル赤（Ｒｉｎ）、緑（Ｇｉｎ）、青（Ｂｉｎ）信号に対して、それぞれ、フィルム対数ルックアップテーブル（ＬＵＴ）を用いて単チャンネルＲｉｎ、Ｇｉｎ、Ｂｉｎを対数等価値に変換し、高品位ビデオ映像を表示する画像再構成サブシステム１８に出力する技術が記載されている。
　
　段落【００４０】〜【００４９】の「色補正器２２は、フィルム補正ユニット２６とビデオ補正ユニット２８とを有する。フィルム補正ユニット２６は、フィルム対数ルックアップテーブル（ＬＵＴ）を用いて、３つの単チャンネル信号Ｒｉｎ、Ｇｉｎ、Ｂｉｎをそれぞれの対数等価信号に変換する。・・・第１のメディアに記録されている対象画像を第２のメディアに効果的に有効に再生するために、その変換システムは、第１のメディアの階調レベル（tone level) を第２のメディアの適正な階調レベルに相関させるというような校正がなされていなければならない。この方法によれば、第１のメディアに記録されている階調スケールが第２のメディアに再生された階調スケールに相関する。映画フィルムをＨＤビデオに変換するために、色補正器２２は、そのフィルム上の階調密度がＨＤビデオ信号上の階調密度に相関するように校正する。・・・すなわち、まず、ＨＤフィルムスキャナ１２内の各ＣＣＤイメージセンサに入射される画像情報を有する光（以下、単に、画像光という。）は、ＣＣＤイメージセンサのダイナミックレンジの範囲内でなければならない。また、ＣＣＤイメージセンサに入射される画像光は、ＣＣＤイメージセンサ（イメージャ）のダイナミックレンジの全範囲を利用している必要がある。そして、入射画像光をＣＣＤレンジに一致させることで、所望の光学画像が作成される。・・・図３は、本発明に係わる画像校正インタフェースを示している。入力レンジコントロール３６は、操作インタフェースサブシステム２０に含まれている。入力レンジコントロール３６は、色補正器２２に入力される３つの単チャンネルＲｉｎ、Ｇｉｎ、Ｂｉｎに対しての相対階調密度を指定する。図３に示すように、各単チャンネルＲｉｎ、Ｇｉｎ、Ｂｉｎに対して、入力白レンジ及び入力黒レンジコントロール（用）スライダが設けられている。ＨＤフィルムスキャナ１２で作成された各単チャンネルに対して、ユーザは、対象画像の白レベルを表す（指定する）入力白コントロールスライダの使用を通じて第１の信号振幅を色補正器２２に指定する。また、ユーザは、対象画像の黒レベルを表す（指定する）入力黒コントロールスライダの使用を通じて第２の信号振幅を指定する。入力レンジコントロール３６で各単チャンネル信号に対するスケールがミリボルト（mV）で与えられている。この場合、入力バッファ用の波形モニタに３つの単チャンネル信号Ｒｉｎ、Ｇｉｎ、Ｂｉｎを供給しておいて、その管面上で、ユーザが白と黒密度レベルに対するＨＤフィルムスキャナ１２からの電圧レベル出力を校正することができる。例えば、ユーザは、ビデオモニタ上で階調を観測することによりＧ（緑）チャンネルに対する白レベルの入力レンジを指定するために、Ｇチャンネルに対する白密度レベルとして指定することを望む階調を選択する。その際、白密度レベルに対応する電圧レベルを確認するために、ユーザは、入力バッファ波形モニタ上での電圧レベルを読み取ればよい。同様にして、ユーザは、Ｇチャンネルに対する黒密度レベルに対応する階調を選択することができる。この方法において、画像の校正は、そのレンジがＣＣＤの出力レンジ内にある限り、入力白スライダと入力黒スライダの両方を設���することによって、各単チャンネルに対してユーザが任意の階調レンジを指定することができるという相対的な処理である。もし、入力レンジが入力レンジコントロール３６を用いて指定されなかった場合には、色補正器２２は、ＣＣＤレンジの両端に対するデフォルトレンジを設定する。デフォルトレンジとしては、例えば、各ＣＣＤイメージセンサの出力レンジ0 〜700mV に設定する。図２Ｂは、本発明に係わる色補正器２２のブロック図を示している。単チャンネルＲｉｎ、Ｇｉｎ、Ｂｉｎがフィルムマスキングマトリクス処理サブシステム３２に供給される。フィルムマスキングマトリクス処理サブシステム３２は、各単チャンネル用の３つの対数変換器を有している。これら３つの対数変換器は、それぞれ、フィルム対数ルックアップテーブル（ＬＵＴ）を用いて単チャンネルＲｉｎ、Ｇｉｎ、Ｂｉｎを対数等価値に変換する。このフィルム対数ルックアップテーブルは、単チャンネル信号Ｒｉｎ、Ｇｉｎ、ＢｉｎをそのＬＵＴに対するインデックスとすることで、対数領域における値を準備する。」、段落【００７６】の「対象画像入力レンジは、フィルム対数ＬＵＴ値の作成を経由して対数領域に入力単チャンネル信号Ｒｉｎ、Ｇｉｎ、Ｂｉｎをマップするために用いられる。」の記載から、刊行物１の色補正器２２は、ＣＣＤレンジの両端に対するデフォルトレンジ（デフォルトレンジは、各ＣＣＤイメージセンサの出力レンジに設定される）を設定するものであり、刊行物１の対象画像入力レンジは、単チャンネルＲｉｎ、Ｇｉｎ、Ｂｉｎを対数等価値に変換するフィルム対数ＬＵＴ値の作成を経由して対数領域に単チャンネルＲｉｎ、Ｇｉｎ、Ｂｉｎをマップするために用いられるものである。
　
　したがって、刊行物１には、以下の発明（以下、「刊行物１発明」という）が記載されている。
　
「画像信号処理サブシステム１６内の色補正の機能を実行する色補正器２２において、画像読取手段であるＨＤフィルムスキャナ１２により作成された３つのデジタル単チャンネル赤（Ｒｉｎ）、緑（Ｇｉｎ）、青（Ｂｉｎ）信号に対して、それぞれ、フィルム対数ルックアップテーブル（ＬＵＴ）を用いて単チャンネルＲｉｎ、Ｇｉｎ、Ｂｉｎを対数等価値に変換し、高品位ビデオ映像を表示する画像再構成サブシステム１８に出力する技術であって、
　色補正の機能を実行する色補正器２２は、ＨＤフィルムスキャナ１２のＣＣＤレンジの両端に対するデフォルトレンジ（デフォルトレンジは、各ＣＣＤイメージセンサの出力レンジに設定される）を設定し、対象画像入力レンジは、単チャンネルＲｉｎ、Ｇｉｎ、Ｂｉｎを対数等価値に変換するフィルム対数ＬＵＴ値の作成を経由して対数領域に単チャンネルＲｉｎ、Ｇｉｎ、Ｂｉｎをマップするために用いられる技術。」
　
（３）刊行物１発明との対比
　
　本願補正発明と刊行物１発明とを対比する。
　
（３−１）本願補正発明の「処理器とメモリとを有するカラー装置における、ディジタル画像捕捉装置により捕捉されるディジタルビデオコンテンツの再生可能ディジタル映像プロダクトを与える方法」について
　
　刊行物１発明は、「画像信号処理サブシステム１６内の色補正の機能を実行する色補正器２２において、画像読取手段であるＨＤフィルムスキャナ１２により作成された３つのデジタル単チャンネル赤（Ｒｉｎ）、緑（Ｇｉｎ）、青（Ｂｉｎ）信号に対して、それぞれ、フィルム対数ルックアップテーブル（ＬＵＴ）を用いて単チャンネルＲｉｎ、Ｇｉｎ、Ｂｉｎを対数等価値に変換し、高品位ビデオ映像を表示する画像再構成サブシステム１８に出力する技術」であるが、これは、「画像信号処理サブシステム１６内の色補正の機能を実行する色補正器２２において、画像読取手段であるＨＤフィルムスキャナ１２により作成された３つのデジタル単チャンネル赤（Ｒｉｎ）、緑（Ｇｉｎ）、青（Ｂｉｎ）信号に対して、それぞれ、フィルム対数ルックアップテーブル（ＬＵＴ）を用いて単チャンネルＲｉｎ、Ｇｉｎ、Ｂｉｎを対数等価値に変換し、高品位ビデオ映像を表示する画像再構成サブシステム１８に出力する方法」と捉えることができる。
　
　本願補正発明の「カラー装置」に関して、本願明細書の段落【００２０】には、「図３のディジタルカラーシステムにおいては、オリジナルのビデオコンテンツはディジタル動画カメラ３１０により捕捉される。ディジタル的に捕捉されたビデオカメラはカラー装置３２０と通信する。色補正層３２０は、ディジタル動画カメラ３１０からディジタル的に捕捉されたビデオコンテンツの再生可能なディジタル映像プロダクト（例えば、ログビデオ信号表現）を生成するように、そして生成された再生可能なディジタル映像プロダクトの色補正を与えるように実施されることが可能である。」と記載されており、カラー装置は、色補正を与えるように実施されるものであるから、刊行物１発明の「画像信号処理サブシステム１６内の色補正の機能を実行する色補正器２２」と、本願補正発明の「カラー装置」は一致する。
　
　一般に、情報処理を行う機器において、処理を行うためには、処理を行うための部位を有することや、処理を行うために用いるデータやプログラムを記憶するためのメモリを有することは通常に有する構成であるから、刊行物１発明の色補正器においても、処理を行うための部位を有し、処理を行うために用いるデータやプログラムを記憶するためのメモリを備えているものといえる。
　
　そうすると、刊行物１発明の色補正器２２が備えている、処理を行うための部位と処理を行うために用いるデータやプログラムを記憶するためのメモリは、本願補正発明の「処理器とメモリ」に一致するので、刊行物１発明の「画像信号処理サブシステム１６内の色補正の機能を実行する色補正器２２」は、本願補正発明の「処理器とメモリとを有するカラー装置」に一致する。
　
　刊行物１発明の「画像読取手段であるＨＤフィルムスキャナ」は、画像を３つのデジタル単チャンネル赤（Ｒｉｎ）、緑（Ｇｉｎ）、青（Ｂｉｎ）信号にするものであり、画像をディジタル信号にするものである。本願補正発明の「ディジタル画像捕捉装置」に関して、本願明細書の段落【００１９】〜【００２０】には、「・・・例示として、ディジタル画像捕捉装置３１０（例示としては、ディジタル動画カメラ）・・・オリジナルのビデオコンテンツはディジタル動画カメラ３１０により捕捉される。ディジタル的に捕捉されたビデオカメラはカラー装置３２０と通信する。」と記載されている。すなわち、本願補正発明の「ディジタル画像捕捉装置」は、画像をディジタル的に捕捉するものであるから、刊行物１発明の「画像読取手段であるＨＤフィルムスキャナ１２」は、本願補正発明の「ディジタル画像捕捉装置」に一致する。
　
　本願補正発明の「ディジタルビデオコンテンツの再生可能ディジタル映像プロダクトを与える」に関して、本願明細書の段落【００２０】には、「色補正層３２０は、ディジタル動画カメラ３１０からディジタル的に捕捉されたビデオコンテンツの再生可能なディジタル映像プロダクト（例えば、ログビデオ信号表現）を生成するように、そして生成された再生可能なディジタル映像プロダクトの色補正を与えるように実施されることが可能である。・・・図３のディジタルカラーシステム３００においては、ディジタル映像プロダクト（例えば、ログビデオ信号）は、較正された表示装置（図示せず）において始まりを視聴されることができるように、表示変換が適用されることが可能である。」と記載されている。すなわち、本願補正発明の「ディジタルビデオコンテンツの再生可能ディジタル映像プロダクトを与える」とは、ディジタルビデオコンテンツが再生可能になるようにログビデオ信号を生成することである。
　ここで、ログビデオ信号を生成することについて、本願明細書には具体的な記載が見受けられないものの、映像技術において、ログビデオ信号を生成するということは、入力信号の対数を出力することを意味する。
　
　刊行物１発明は、画像読取手段であるＨＤフィルムスキャナ１２により作成された３つのデジタル単チャンネル赤（Ｒｉｎ）、緑（Ｇｉｎ）、青（Ｂｉｎ）信号に対して、それぞれ、フィルム対数ルックアップテーブル（ＬＵＴ）を用いて単チャンネルＲｉｎ、Ｇｉｎ、Ｂｉｎを対数等価値に変換し、高品位ビデオ映像を表示する画像再構成サブシステムに出力するものであり、対数等価値に変換するということは、単チャンネルＲｉｎ、Ｇｉｎ、Ｂｉｎの対数を出力することであるから、本願補正発明のようにログビデオ信号を生成することである。そして、刊行物１発明においても、３つのデジタル単チャンネル赤（Ｒｉｎ）、緑（Ｇｉｎ）、青（Ｂｉｎ）信号に対して、対数等価値に変換、すなわち、入力信号の対数を出力し、最終的に、高品位ビデオ映像を表示する画像再構成サブシステムに出力するものであるから、刊行物１発明の３つのデジタル単チャンネル赤（Ｒｉｎ）、緑（Ｇｉｎ）、青（Ｂｉｎ）信号は、本願補正発明のディジタルビデオコンテンツに一致し、刊行物１発明の対数等価値は、本願補正発明の再生可能なディジタル映像プロダクト（ログビデオ信号）に一致する。
　
　したがって、本願補正発明の「処理器とメモリとを有するカラー装置における、ディジタル画像捕捉装置により捕捉されるディジタルビデオコンテンツの再生可能ディジタル映像プロダクトを与える方法」について、本願補正発明と刊行物１発明は、「処理器とメモリとを有するカラー装置における、ディジタル画像捕捉装置により捕捉されるディジタルビデオコンテンツの再生可能ディジタル映像プロダクトを与える方法」という点で一致する。
　
（３−２）本願補正発明の「前記処理器とメモリとが、前記ディジタル画像捕捉装置と、ディジタルビデオコンテンツを捕捉するように用いられる最大範囲のディジタル画像捕捉装置とのうち少なくとも１つのダイナミックレンジに関する情報を用いて、ログビデオ信号の階調密度値のフルレンジをマッピングすることにより、前記ディジタルビデオコンテンツのログビデオ信号表現を生成する段階」について
　
　本願補正発明の「前記ディジタル画像捕捉装置と、ディジタルビデオコンテンツを捕捉するように用いられる最大範囲のディジタル画像捕捉装置とのうち少なくとも１つのダイナミックレンジに関する情報」について、本願明細書には、「本発明の代替の実施形態においては、カラー装置３２０において、ディジタル的に捕捉されたビデオコンテンツのログビデオ信号表現は、例えば、動画カメラ３１０のダイナミックレンジの情報を用いて生成される。」（段落【００２５】）、「本発明の代替の実施形態においては、カラー装置３２０において、ディジタル的に捕捉されたビデオコンテンツのログ信号表現は、特定の色についての固定された階調濃度値を用いて、しかしながら、捕捉されるようになっている最大範囲のビデオコンテンツか又は最大範囲の画像捕捉装置のどちらか又はそれらの両方のダイナミックレンジを考慮して、生成される。」（段落【００３０】）と記載されていることから、１つの実施形態は、動画カメラ３１０のダイナミックレンジの情報を用いて生成されるものであり、別の実施形態では、捕捉されるようになっている最大範囲のビデオコンテンツか又は最大範囲の画像捕捉装置のどちらか又はそれらの両方のダイナミックレンジを考慮して、生成されるものである。
　すなわち、本願補正発明の「前記ディジタル画像捕捉装置と、ディジタルビデオコンテンツを捕捉するように用いられる最大範囲のディジタル画像捕捉装置とのうち少なくとも１つのダイナミックレンジに関する情報」とは、「前記ディジタル画像捕捉装置」と「ディジタルビデオコンテンツを捕捉するように用いられる最大範囲のディジタル画像捕捉装置」のうちいずれか１つのみを選択することを含む構成である。
　
　刊行物１発明の色補正の機能を実行する色補正器２２は、「ＨＤフィルムスキャナ１２のＣＣＤレンジの両端に対するデフォルトレンジ（デフォルトレンジは、各ＣＣＤイメージセンサの出力レンジに設定される）を設定」するものであり、刊行物１の段落【００４３】の「ＨＤフィルムスキャナ１２内の各ＣＣＤイメージセンサに入射される画像情報を有する光（以下、単に、画像光という。）は、ＣＣＤイメージセンサのダイナミックレンジの範囲内でなければならない。また、ＣＣＤイメージセンサに入射される画像光は、ＣＣＤイメージセンサ（イメージャ）のダイナミックレンジの全範囲を利用している必要がある。そして、入射画像光をＣＣＤレンジに一致させることで、所望の光学画像が作成される。」との記載から、ＣＣＤレンジとは、ＣＣＤイメージセンサのダイナミックレンジのことであり、刊行物１発明の「ＨＤフィルムスキャナのＣＣＤレンジの両端に対するデフォルトレンジ（各ＣＣＤイメージセンサの出力レンジに設定される）」とは、ＣＣＤのダイナミックレンジに関する情報ということができる。
　
　刊行物１発明の「ＨＤフィルムスキャナ１２」は、本願補正発明の「ディジタル画像捕捉装置」に一致するので、刊行物１発明の「ＨＤフィルムスキャナ１２のＣＣＤレンジの両端に対するデフォルトレンジ（デフォルトレンジは、各ＣＣＤイメージセンサの出力レンジに設定される）」は、「前記ディジタル画像捕捉装置のダイナミックレンジに関する情報」という点で、本願補正発明と一致する。
　すなわち、刊行物１発明の「ＨＤフィルムスキャナ１２のＣＣＤレンジの両端に対するデフォルトレンジ（デフォルトレンジは、各ＣＣＤイメージセンサの出力レンジに設定される）」は、本願補正発明の「前記ディジタル画像捕捉装置と、ディジタルビデオコンテンツを捕捉するように用いられる最大範囲のディジタル画像捕捉装置とのうち少なくとも１つのダイナミックレンジに関する情報」において、「前記ディジタル画像捕捉装置」を選択した場合に相当する。
　
　刊行物１発明は、「色補正の機能を実行する色補正器２２において、・・・３つのデジタル単チャンネル赤（Ｒｉｎ）、緑（Ｇｉｎ）、青（Ｂｉｎ）信号に対して、それぞれ、フィルム対数ルックアップテーブル（ＬＵＴ）を用いて単チャンネルＲｉｎ、Ｇｉｎ、Ｂｉｎを対数等価値に変換」するものであり、色補正器２２において、３つのデジタル単チャンネル赤（Ｒｉｎ）、緑（Ｇｉｎ）、青（Ｂｉｎ）信号を対数等価値に変換するものであるから、本願補正発明の「前記ディジタルビデオコンテンツのログビデオ信号表現を生成する」に一致する。
　
　刊行物１発明では、「対象画像入力レンジは、単チャンネルＲｉｎ、Ｇｉｎ、Ｂｉｎを対数等価値に変換するフィルム対数ＬＵＴ値の作成を経由して対数領域に入力単チャンネル信号Ｒｉｎ、Ｇｉｎ、Ｂｉｎをマップするために用いられる」ものである。
　ここで、刊行物１の段落【００４４】〜【００４６】において、「入力レンジコントロール３６は、色補正器２２に入力される３つの単チャンネルＲｉｎ、Ｇｉｎ、Ｂｉｎに対しての相対階調密度を指定する。・・・例えば、ユーザは、ビデオモニタ上で階調を観測することによりＧ（緑）チャンネルに対する白レベルの入力レンジを指定するために、Ｇチャンネルに対する白密度レベルとして指定することを望む階調を選択する。・・・同様にして、ユーザは、Ｇチャンネルに対する黒密度レベルに対応する階調を選択することができる。」と記載されているように、対象画像入力レンジとは、入力レンジコントロール３６を用いて、白密度レベルと黒密度レベルの階調を選択することにより、各単チャンネルＲｉｎ、Ｇｉｎ、Ｂｉｎに対しての相対階調密度を指定することである。
　さらに、刊行物１の段落【００４８】において、「もし、入力レンジが入力レンジコントロール３６を用いて指定されなかった場合には、色補正器２２は、ＣＣＤレンジの両端に対するデフォルトレンジを設定する。デフォルトレンジとしては、例えば、各ＣＣＤイメージセンサの出力レンジ0 〜700mV に設定する。」とあるように、刊行物１発明における「ＨＤフィルムスキャナのＣＣＤレンジの両端に対するデフォルトレンジを設定」は、入力レンジが指定されなかった場合に行うものであるから、設定されたデフォルトレンジ（ＣＣＤのダイナミックレンジに関する情報）についても、単チャンネルＲｉｎ、Ｇｉｎ、Ｂｉｎを対数等価値に変換するフィルム対数ＬＵＴ値の作成を経由して対数領域に単チャンネルＲｉｎ、Ｇｉｎ、Ｂｉｎをマップするために用いられるものであるし、単チャンネルＲｉｎ、Ｇｉｎ、Ｂｉｎに対しての階調密度を指定することから、対数等価値は、階調密度値であるといえる。
　そうすると、刊行物１発明のデフォルトレンジ（ＣＣＤのダイナミックレンジに関する情報）は、単チャンネルＲｉｎ、Ｇｉｎ、Ｂｉｎを対数等価値（階調密度値）に変換する対数変換の際に使用するフィルム対数ＬＵＴ値の作成に際して、対数領域に単チャンネルＲｉｎ、Ｇｉｎ、Ｂｉｎをマップするために用いられるものである。
　
　言い換えると、刊行物１発明の色補正の機能を実行する色補正器２２は、ＣＣＤのダイナミックレンジに関する情報を用いて、対数等価値の階調密度値をマップしているものである。
　
　刊行物１発明の色補正器２２は、処理器とメモリとを有するものであり、色補正器が様々な処理を行う際には、処理器とメモリが行うものであるから、刊行物１発明の「色補正の機能を実行する色補正器２２」が行うことは、「前記処理器とメモリとが」行うことである。
　
　そうすると、本願補正発明の「前記処理器とメモリとが、前記ディジタル画像捕捉装置と、ディジタルビデオコンテンツを捕捉するように用いられる最大範囲のディジタル画像捕捉装置とのうち少なくとも１つのダイナミックレンジに関する情報を用いて、ログビデオ信号の階調密度値のフルレンジをマッピングすることにより、前記ディジタルビデオコンテンツのログビデオ信号表現を生成する段階」について、本願補正発明と刊行物１発明は、「前記処理器とメモリとが、前記ディジタル画像捕捉装置と、ディジタルビデオコンテンツを捕捉するように用いられる最大範囲のディジタル画像捕捉装置とのうち少なくとも１つのダイナミックレンジに関する情報を用いて、ログビデオ信号の階調密度値をマッピングすることにより、前記ディジタルビデオコンテンツのログビデオ信号表現を生成する段階」という点で一致する
　
　しかし、ログビデオ信号の階調密度値をマッピングするに際して、本願補正発明は、フルレンジをマッピングするものであるが、刊行物１発明においては、どの範囲でマップするかについては特定されていない。
　
（４）一致点、相違点
　
　以上の対比によると、本願補正発明と刊行物１発明との一致点、相違点は次のとおりである。
　
［一致点］
「処理器とメモリとを有するカラー装置における、ディジタル画像捕捉装置により捕捉されるディジタルビデオコンテンツの再生可能ディジタル映像プロダクトを与える方法であって、
　前記処理器とメモリとが、前記ディジタル画像捕捉装置と、ディジタルビデオコンテンツを捕捉するように用いられる最大範囲のディジタル画像捕捉装置とのうち少なくとも１つのダイナミックレンジに関する情報を用いて、ログビデオ信号の階調密度値をマッピングすることにより、前記ディジタルビデオコンテンツのログビデオ信号表現を生成する段階を有する方法。」
　
［相違点］
　ログビデオ信号の階調密度値をマッピングするに際して、本願補正発明は、フルレンジをマッピングするものであるが、刊行物１発明においては、どの範囲でマップするかについては特定されていない点。
　
（５）相違点の検討、判断
　
　刊行物１発明において、ログビデオ信号の階調密度値をマッピングする場合に、ログビデオ信号の階調密度値の範囲をどの程度にするかは、特定されていないものの、信号をディジタルで表現する場合に、使用可能な全てのビットを使用しないのは、無駄なことであり、効率的に記録するのであれば、使用可能な全ての範囲を使用するように考えること、たとえば、データを記録する際に、１０ビット分の使用が可能であれば、４ビットだけ使用して記録するようなことをせずに、１０ビット分全ての範囲を使用して記録することは、当業者であればきわめて自然に考え得ることである。
　したがって、刊行物１発明においても、ログビデオ信号の階調密度値をマッピングするに際して、フルレンジをマッピングするようにし、相違点に係る本願補正発明の構成とすることは、当業者であれば容易に想到できるといえる。
　
　以上のとおり、相違点に係る本願補正発明の構成は、容易に想到できるといえ、本願補正発明の効果も、刊行物１発明から当業者が容易に予測し得るものであり、格別顕著なものがあるとは認められない。
　
　本願補正発明は、刊行物１発明に基づいて、当業者が容易に発明することができたものであり、特許法第２９条第２項の規定により特許出願の際独立して特許を受けることができないものである。
　
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
　よって、補正却下の結論のとおり、決定する。
　
第３．本願発明について
　
１．本願発明
　
　上記のとおり、平成２５年４月４日付けの手続補正は却下した。
　したがって、本願の請求項１ないし２４に係る発明は、平成２４年４月４日付け手続補正書で補正された明細書、特許請求の範囲および図面の記載からみて、平成２４年４月４日付け手続補正書で補正された特許請求の範囲の請求項１ないし２４に記載されたとおりのものであり、そのうち、請求項１に係る発明（以下、「本願発明」という）は、次のとおりである。
　
［本願発明］（平成２４年４月４日付けで補正された【請求項１】）
　
「処理器とメモリとを有するカラー装置における、ディジタル画像捕捉装置により捕捉されるディジタルビデオコンテンツの再生可能ディジタル映像プロダクトを与える方法であって、
　前記処理器とメモリとが、前記ディジタルビデオコンテンツと、捕捉される最大範囲のディジタルビデオコンテンツと、前記ディジタル画像捕捉装置と、ディジタルビデオコンテンツを捕捉するように用いられる最大範囲のディジタル画像捕捉装置とのうち少なくとも１つのダイナミックレンジに関する情報を用いて、ログビデオ信号の階調密度値のフルレンジをマッピングすることにより、前記ディジタルビデオコンテンツのログビデオ信号表現を生成する段階を有する方法。」
　
２．刊行物の記載事項
　
　原査定の拒絶の理由で引用された特開平６−２１７１９３号公報（刊行物１）の記載事項および刊行物１発明は、前記第２．２．（２）に記載したとおりである。
　
３．対比、判断
　
　本願発明は、前記第２．２．で検討した本願補正発明における「前記ディジタル画像捕捉装置と、ディジタルビデオコンテンツを捕捉するように用いられる最大範囲のディジタル画像捕捉装置とのうち少なくとも１つのダイナミックレンジに関する情報」において、択一的記載の要素である「前記ディジタル画像捕捉装置と、ディジタルビデオコンテンツを捕捉するように用いられる最大範囲のディジタル画像捕捉装置」を「前記ディジタルビデオコンテンツと、捕捉される最大範囲のディジタルビデオコンテンツと、前記ディジタル画像捕捉装置と、ディジタルビデオコンテンツを捕捉するように用いられる最大範囲のディジタル画像捕捉装置」としたものである。
　
　上記補正箇所に係る本願発明について検討するに、刊行物１発明は、本願発明の「前記ディジタルビデオコンテンツと、捕捉される最大範囲のディジタルビデオコンテンツと、前記ディジタル画像捕捉装置と、ディジタルビデオコンテンツを捕捉するように用いられる最大範囲のディジタル画像捕捉装置とのうち少なくとも１つのダイナミックレンジに関する情報」において、「前記ディジタル画像捕捉装置」を選択した場合に相当する。
　
　そうすると、本願発明の択一的記載の要素である「前記ディジタルビデオコンテンツと、捕捉される最大範囲のディジタルビデオコンテンツと、前記ディジタル画像捕捉装置と、ディジタルビデオコンテンツを捕捉するように用いられる最大範囲のディジタル画像捕捉装置」を「前記ディジタル画像捕捉装置と、ディジタルビデオコンテンツを捕捉するように用いられる最大範囲のディジタル画像捕捉装置」とした本願補正発明が前記第２．２．に記載したとおり、刊行物１に記載された発明に基づいて、当業者が容易に発明することができたものであるから、本願発明も、同様の理由により、刊行物１に記載された発明に基づいて、当業者が容易に発明することができたものである。
　
第４．まとめ
　
　以上のとおり、本願の請求項１に係る発明は、刊行物１に記載された発明に基づいて、当業者が容易に発明することができたものであるから、特許法第２９条第２項の規定により特許を受けることができないものである。
　したがって、残る請求項２ないし２４に係る発明について検討するまでもなく、本願は、拒絶をすべきものである。
　
　よって、結論のとおり審決する。